(57)【要約】【課題】イオンの拡散性の向上を図ることができるイオン発生ユニット及び照明装置を提供する。【解決手段】イオン発生ユニットは、一面が開口した箱状のケース４０、ケース４０に収容される一面が開口した箱状の本体ベース３０、本体ベース３０の上面（前面）に取り付けられる吸込グリル２０、吸込グリル２０の上面（前面）に取り付けられる空気案内板としての前面パネル１０などを備えている。イオン発生ユニットの前面パネル１０には、中央部に空気吸込口１５を設けてあり、空気吸込口１５と同一面上であって、空気吸込口１５を囲むように、空気吹出口１１〜１４を設けてある。空気吹出口１１〜１４は、空気吸込口１５を囲んで長方形の略四隅に配置されている。【選択図】図２
2010029552.tif 000002
【特許請求の範囲】
【請求項１】
イオンを発生するイオン発生部を備えるイオン発生ユニットにおいて、
前記イオン発生部で発生したプラスイオンを放出するための１又は複数の第１放出部と、
前記イオン発生部で発生したマイナスイオンを放出するための１又は複数の第２放出部と
を備えることを特徴とするイオン発生ユニット。
【請求項２】
前記第１放出部及び第２放出部は、離隔して設けてあることを特徴とする請求項１に記載のイオン発生ユニット。
【請求項３】
前記第１放出部及び第２放出部それぞれを交互に配置してあることを特徴とする請求項１又は請求項２に記載のイオン発生ユニット。
【請求項４】
前記第１放出部と前記第２放出部をそれぞれ複数備え、
１対の第１放出部及び／又は１対の第２放出部が対角するように設けてあることを特徴とする請求項１又は請求項２に記載のイオン発生ユニット。
【請求項５】
前記イオン発生部は、
プラスイオン及びマイナスイオンを発生させるイオン発生電極部を備え、
該イオン発生電極部を、前記第１放出部と前記第２放出部の近傍に設けてあることを特徴とする請求項１から請求項４のいずれか１項に記載のイオン発生ユニット。
【請求項６】
請求項１から請求項５までのいずれか１項に記載のイオン発生ユニットを備えることを特徴とする照明装置。
【発明の詳細な説明】
【技術分野】
【０００１】
本発明は、イオンを発生させるイオン発生ユニット及び該イオン発生ユニットを備える照明装置に関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機が実用化されている。
【０００３】
しかし、このような空気清浄機は、主に床面上に設置される構成であるため、人がつまずいて空気清浄機が転倒し内部の液体がこぼれることがあった。一方で照明器具は天井や壁など比較的高い位置に取り付けられることから、上記の問題を解決するために、空気清浄機を一体化した照明器具が提案されている。例えば、吸気口と排気口との少なくとも一方に近接配置された照明部を備え、排気口から霧を排出することができる照明器具が開示されている（特許文献１参照）。
【特許文献１】特開２００６−１００２１８号公報
【発明の開示】
【発明が解決しようとする課題】
【０００４】
特許文献１の照明器具は、脱臭作用や除菌作用を有する液体から発生させた霧を排出するものであり、空気中に浮遊する細菌やカビ菌、有害物質などを分解することが可能なイオンの拡散を図るものではない。また、排気口が１つしかないので、排気口付近では霧を効率よく排出することができたとしても、照明器具を取り付けた室内に霧を十分に拡散させることは困難であった。
【０００５】
本発明は斯かる事情に鑑みてなされたものであり、イオンの拡散性の向上を図ることができるイオン発生ユニット及び該イオン発生ユニットを備える照明装置を提供することを目的とする。
【課題を解決するための手段】
【０００６】
本発明に係るイオン発生ユニットは、イオンを発生するイオン発生部を備えるイオン発生ユニットにおいて、前記イオン発生部で発生したプラスイオンを放出するための１又は複数の第１放出部と、前記イオン発生部で発生したマイナスイオンを放出するための１又は複数の第２放出部とを備えることを特徴とする。
【０００７】
本発明に係るイオン発生ユニットは、前記第１放出部及び第２放出部は、離隔して設けてあることを特徴とする。
【０００８】
本発明に係るイオン発生ユニットは、前記第１放出部及び第２放出部それぞれを交互に配置してあることを特徴とする。
【０００９】
本発明に係るイオン発生ユニットは、前記第１放出部と前記第２放出部をそれぞれ複数備え、１対の第１放出部及び／又は１対の第２放出部が対角するように設けてあることを特徴とする。
【００１０】
本発明に係るイオン発生ユニットは、前記イオン発生部は、プラスイオン及びマイナスイオンを発生させるイオン発生電極部を備え、該イオン発生電極部を、前記第１放出部と前記第２放出部の近傍に設けてあることを特徴とする。
【００１１】
本発明に係る照明装置は、前述の発明に係るイオン発生ユニットを備えることを特徴とする。
【００１２】
本発明にあっては、イオン発生ユニットは、プラスイオンを放出するための１又は複数の第１放出部と、マイナスイオンを放出するための１又は複数の第２放出部とを備える。プラスイオンの放出部とマイナスイオンの放出部とを独立させることにより、プラスイオンとマイナスイオンとが中和することを避けて、イオンの拡散性を高めることができる。
【００１３】
本発明にあっては、第１放出部及び第２放出部は、離隔して設けてある。第１放出部及び第２放出部を別個に離隔させることにより、プラスイオンとマイナスイオンとが中和することを避けて、イオンの拡散性を高めることができる。
【００１４】
本発明にあっては、第１放出部及び第２放出部それぞれを交互に配置してある。例えば、各放出部を長方形の各四隅の位置に配置した場合、プラスイオン用の第１放出部とマイナスイオン用の第２放出部とが順番に並ぶように配置する。これにより、プラスイオンとマイナスイオンとを均等に拡散させることができるとともに、イオンの中和を避けることができる。
【００１５】
本発明にあっては、第１放出部と第２放出部をそれぞれ複数備え、１対の第１放出部及び／又は１対の第２放出部が対角するように設けてある。例えば、各放出部を長方形の各四隅の位置に配置した場合、対角線上の放出部から放出するイオンの極性は同じ極性となる。これにより、プラスイオンとマイナスイオンとを均等に拡散させることができるとともに、イオンの中和を避けることができる。
【００１６】
本発明にあっては、イオン発生部は、プラスイオン及びマイナスイオンを発生させるイオン発生電極部を備え、イオン発生電極部を、第１放出部と第２放出部の近傍に設けてある。例えば、プラスイオンを放出するための第１放出部の近傍には、プラスイオンを発生させるための電極部（例えば、電極針）を設けるとともに、マイナスイオンを放出するための第２放出部の近傍には、マイナスイオンを発生させるための電極部（例えば、電極針）を設ける。これにより、例えば、各放出部に至るまでの通気路内でイオンが消滅することを防止し、発生させたプラスイオン及びマイナスイオンを放出部から放出させることができ、イオンを一層効率的に拡散させることができる。
【００１７】
本発明にあっては、照明装置は上述のイオン発生ユニットを備える。これにより、イオンの拡散性に優れたイオン発生機能を一体化した照明装置を提供することができる。
【発明の効果】
【００１８】
本発明によれば、イオンの中和を防止してイオンの拡散性を向上させることができる。
【発明を実施するための最良の形態】
【００１９】
以下、本発明をその実施の形態を示す図面に基づいて説明する。図１は本発明に係るイオン発生ユニット１００の外観斜視図であり、図２は本発明に係るイオン発生ユニット１００の前面視の分解斜視図であり、図３は本体ベース３０の分解斜視図であり、図４は本発明に係るイオン発生ユニット１００の後面視の分解斜視図である。また、図５はケース４０の平面図であり、図６は本体ベース３０の平面図であり、図７は吸込グリル２０の平面図である。
【００２０】
図２に示すように、イオン発生ユニット１００は、一面が開口した箱状のケース４０、ケース４０に収容される一面が開口した箱状の本体ベース３０、本体ベース３０の上面（前面）に取り付けられる吸込グリル２０、吸込グリル２０の上面（前面）に取り付けられる空気案内板としての前面パネル１０などを備えている。
【００２１】
イオン発生ユニット１００の前面パネル１０には、中央部に空気吸込口１５を設けてあり、空気吸込口１５と同一面上であって、空気吸込口１５を囲むように、イオンを放出するための放出部としての空気吹出口１１、１２、１３、１４を設けてある。ここで、同一面とは、本実施の形態で例示するように、空気吸込口と空気吹出口とが同一平面にある場合のみならず、同一の屈曲面にある場合（例えば、空気吸込口の開口面の法線方向と空気吹出口の開口面の法線方向とが鋭角をなすようにお互いに傾いて設けられているような場合）、お互いに平行な平面にある場合（例えば、空気吸込口の開口面と空気吹出口の開口面とが段差を有して設けられている場合）などを含むものとする。空気吹出口１１〜１４は、空気吸込口１５を囲んで長方形の略四隅に配置されている。なお、本実施の形態では、イオンを放出する放出部として、空気吹出口を例に挙げて説明するが、放出部はこれに限定されるものではなく、イオンを放出することができる構造であれば、空気とともに吹き出すものに限らず、どのような構成のものでもよい。
【００２２】
図２に示すように、吸込グリル２０の前面（上面）には、空気吸込口１５に対応する位置に略同寸法の吸込孔２５を設けてあり、空気吹出口１１〜１４それぞれに対応する位置に略同寸法の吹出孔２１、２２、２３、２４を設けてある。
【００２３】
また、図３に示すように、本体ベース３０には、イオン発生素子３１、３２、羽根を備えたファン３３、イオン発生ユニット１００を制御する制御部３５、ＬＥＤを備える表示部３６などを取り付けるようになっている。
【００２４】
図３に示すように、本体ベース３０は、中央部にファン３３を取り付けるように構成してある。本体ベース３０の底面であって、ファン３３が取り付けられる箇所は、外側から内側に向かって円形状に絞り込んだ椀状の絞り部３７を形成してある。ファン３３が動作することにより、空気吸込口１５から吸い込まれた空気の流れが本体ベース３０の底面に当たる際に、絞り部３７を形成してあることにより、吸い込まれた空気が本体ベース３０の底面に沿ってスムーズに流れ易くすることができ、空気流の乱れを生じさせることなく空気吹出口１１〜１４へ導くことができる。
【００２５】
本体ベース３０の対向する１組の側壁同士は、前面（上面）に向かって拡がるように傾斜してあり、それぞれの側壁にイオン発生素子３１、３２を取り付けている。イオン発生素子３１、３２は、先端に係止部が形成された固定板３４により側壁に押圧されて取り付けられる。なお、イオン発生素子３１、３２は、固定板３４により着脱可能に取り付けられるようになっている。
【００２６】
イオン発生素子３１は、矩形状の板状体であり、一方の端部近傍にマイナスイオンを発生させる電極部としての電極針３１ａ、３１ｂを適長離隔して設けてあり、他方の端部近傍にプラスイオンを発生させる電極部としての電極針３１ｃ、３１ｄを適長離隔して設けてある。イオン発生素子３１を取り付けた状態で、吹出孔２１及び空気吹出口１１の近傍には、マイナスイオンを発生するイオン発生電極部が配置され、吹出孔２１及び空気吹出口１１からはマイナスイオンを含む空気が吹き出される。また、吹出孔２４及び空気吹出口１４の近傍には、プラスイオンを発生するイオン発生電極部が配置され、吹出孔２４及び空気吹出口１４からはプラスイオンを含む空気が吹き出される。
【００２７】
イオン発生素子３２は、イオン発生素子３１と同様の構成をなす。イオン発生素子３２を取り付けた状態で、吹出孔２２及び空気吹出口１２の近傍には、プラスイオンを発生するイオン発生電極部が配置され、吹出孔２２及び空気吹出口１２からはプラスイオンを含む空気が吹き出される。また、吹出孔２３及び空気吹出口１３の近傍には、マイナスイオンを発生するイオン発生電極部が配置され、吹出孔２３及び空気吹出口１３からはマイナスイオンを含む空気が吹き出される。
【００２８】
イオン発生素子３１、３２は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００２９】
これにより、それぞれの空気吹出口１１〜１４は、独立にプラスイオンを含む空気、あるいはマイナスイオンを含む空気を吹き出すことができ、イオン発生ユニット１００から吹き出した空気中のプラスイオンとマイナスイオンとが直ちに中和することを防止できる。そして、イオンの中和を防止することにより、イオンの拡散性を向上させることができる。
【００３０】
また、表示部３６は、イオン発生ユニット１００の動作状態（例えば、運転又は停止の別、発生するイオン濃度の高低など）をＬＥＤの点灯状態で示す。また、制御部３５は、イオン発生ユニット１００の全体の動作を制御するマイクロコンピュータ、イオン発生素子３１、３２、及びファン３３に供給する所定の電圧を発生する電源回路、前面パネル１０の着脱を検出するためのマイクロスイッチ３５１などを備えている。図４に示すように、前面パネル１０の裏面側に立設した突起棒１６がマイクロスイッチ３５１を押すことにより、マイクロスイッチ３５１はオンとなり、前面パネル１０が装着されていることを検出する。一方、前面パネル１０が外れた場合、突起棒１６がマイクロスイッチ３５１から離れ、マイクロスイッチ３５１がオフして前面パネル１０が離脱したことを検出する。前面パネル１０が離脱した場合、マイクロスイッチ３５１がオフしてイオン発生ユニット１００の動作は停止又は運転できない状態となる。
【００３１】
図４に示すように、吸込グリル２０の裏面側（後面側）には、吸込孔２５を挟むようにして本体ベース３０の深さ寸法より短い寸法の深さ（高さ）を有する吹出方向設定部材としての通気壁２０１、２０１を対設してある。すなわち、本体ベース３０に吸込グリル２０を取り付けた状態で、本体ベース３０の底面内側と通気壁２０１との間は、ファン３３で吸い込まれた空気が流れるのに必要な十分な隙間を設けてある。
【００３２】
通気壁２０１の吹出孔２１〜２４側の側壁は、深さ（高さ）方向に沿ってテーパー状になった吹出方向設定部材としての傾斜面（内壁）２０１ａを有する。また、通気壁２０１の中央部には、通気壁２０１と略同寸法の深さ（高さ）を有し、吹出孔２２、２３に挟まれるように吹出方向設定部材としての通気板２０２を設けている。通気板２０２の吹出孔２２、２３側の側面は、深さ（高さ）方向に沿ってテーパー状になった吹出方向設定部材としての傾斜面（内壁）２０２ａ、２０２ｂを有する。なお、吹出孔２１、２４側の通気板２０２についても同様の構成である。
【００３３】
本体ベース３０に吸込グリル２０を取り付けた状態で、通気壁２０１、通気板２０２は、本体ベース３０の内壁（底面内側、側面内側等）とともに、空気吸込口１５と空気吹出口１１〜１４とを連通する通気路Ｒを形成する。そして、通気路Ｒには、ファン３３の羽根の回転軸が空気吸込口１５及び空気吹出口１１〜１４の面と直交するようにファン３３を取り付けてある。
【００３４】
また、図４及び図７に示すように、吹出孔２２の裏側には、空気の吹き出し方向を設定するための吹出方向設定部材としての整流板２０４、２０４を傾斜面２０２ａと略平行に適長離隔して設けている。吹出孔２４の裏側にも、同様に空気の吹き出し方向を設定するための整流板２０４、２０４を傾斜面２０２ａと略平行に適長離隔して設けている。
【００３５】
図８及び図９は空気の通気路Ｒの概略を示す模式図である。図８はイオン発生ユニット１００の長手方向から見た状態を示し、図９はイオン発生ユニット１００の短手方向から見た状態を示す。図８に示すように、ファン３３を動作させることにより、空気吸込口１５から空気が吸い込まれる。吸い込まれた空気は、ファン３３を介して通気路Ｒを通り、空気吹出口１３、１４（空気吹出口１１、１２は図８では不図示）から吹出される。なお、図８において矢印は空気の流れを示す。空気吹出口１３から吹き出される際に、イオン発生素子３２のマイナスイオン発生電極部で発生したマイナスイオンが空気に含まれ、マイナスイオンを含む空気が吹き出される。また、空気吹出口１４から吹き出される際に、イオン発生素子３１のプラスイオン発生電極部で発生したプラスイオンが空気に含まれ、プラスイオンを含む空気が吹き出される。
【００３６】
また、通気路Ｒの内壁である傾斜面２０１ａにより、空気吹出口１３、１４から吹き出される空気は、傾斜面２０１ａに沿った方向（傾斜面２０１ａと平行な方向）へ拡散する。なお、傾斜面２０１ａと空気吹出口１３、１４の面とのなす角度は、例えば、４５度程度が好ましいが、これに限定されるものではなく、３０度〜６０度程度でもよい。
【００３７】
また、図９に示すように、ファン３３を動作させることにより、空気吸込口１５から空気が吸い込まれる。吸い込まれた空気は、ファン３３を介して通気路Ｒを通り、空気吹出口１２、１３（空気吹出口１１、１４は図９では不図示）から吹出される。なお、図９において矢印は空気の流れを示す。空気吹出口１２から吹き出される際に、イオン発生素子３２のプラスイオン発生電極部で発生したプラスイオンが空気に含まれ、プラスイオンを含む空気が吹き出される。
【００３８】
また、通気路Ｒの内壁である傾斜面２０２ａ、２０２ｂにより、空気吹出口１２、１３から吹き出される空気は、それぞれ傾斜面２０２ａ、２０２ｂに沿った方向（傾斜面２０２ａ、２０２ｂと平行な方向）へ拡散する。なお、傾斜面２０２ａ、２０２ｂと空気吹出口１２、１３の面とのなす角度は、例えば、４５度程度が好ましいが、これに限定されるものではなく、３０度〜６０度程度でもよい。なお、図８及び図９では、整流板２０４を省略している。
【００３９】
図１０は前面パネル１０の正面図であり、図１１は空気吹出口１１の要部断面図である。図１０に示すように、前面パネル１０の空気吹出口１１は、開口部１１２に複数の吹出方向設定部材としての仕切板１１１を並置したスリット状をなしている。これにより、空気吹出口１１は、空気案内板としての機能を有する。また、図１１に示すように、仕切板１１１は、空気吹出口１１の吹出方向に沿って傾斜してあり、傾斜した仕切板１１１により、図１１の矢印に示すように、空気の吹出方向を設定することができる。例えば、仕切板１１１を空気吹出口１１が設けられた面に対して直角に設けるのではなく、当該面に対して所要の傾斜角（例えば、４５度等）で傾斜させることでイオンを含む空気の吹出方向を仕切板１１１の傾きに応じて空気吹出口１１から斜めにすることができる。これにより、イオンの拡散性をさらに高めることができる。他の空気吹出口１２〜１４についても同様の構成を有する。
【００４０】
図１２は本発明に係るイオン発生ユニット１００の空気吹き出し方向の一例を示す説明図である。図１２において、矢印は、空気吹出口１１〜１４からの空気の吹き出し方向を示す。空気吹出口１１については、通気壁２０１の内壁としての傾斜面２０１ａ、通気板２０２の傾斜面２０２ｂ、及び空気吹出口１１に設けられた仕切板の傾きにより、イオン発生ユニット１００の長手方向外側（図１２で左方向）に向かってマイナスイオンを含む空気が拡散される。
【００４１】
また、空気吹出口１２については、通気壁２０１の内壁としての傾斜面２０１ａ、通気板２０２の傾斜面２０２ａ、整流板２０４、２０４及び空気吹出口１２に設けられた仕切板の傾きにより、イオン発生ユニット１００の短手方向外側（図１２で上方向）に向かってプラスイオンを含む空気が拡散される。
【００４２】
また、空気吹出口１３については、通気壁２０１の内壁としての傾斜面２０１ａ、通気板２０２の傾斜面２０２ｂ、及び空気吹出口１３に設けられた仕切板の傾きにより、イオン発生ユニット１００の長手方向外側（図１２で右方向）に向かってマイナスイオンを含む空気が拡散される。
【００４３】
また、空気吹出口１４については、通気壁２０１の内壁としての傾斜面２０１ａ、通気板２０２の傾斜面２０２ａ、整流板２０４、２０４及び空気吹出口１４に設けられた仕切板の傾きにより、イオン発生ユニット１００の短手方向外側（図１２で下方向）に向かってプラスイオンを含む空気が拡散される。
【００４４】
このように、イオン発生ユニット１００は、空気吹出口１１〜１４を空気吸込口１５と同一平面であって空気吸込口１５の回りに複数設けてある。これにより、中央部に配置された空気吸込口１５から吸い込まれた空気は、イオン発生ユニット１００の内部でイオンを含む空気となって、空気吸込口１５の回りに設けられた複数の空気吹出口１１〜１４より吹き出されるので、イオンの拡散性を向上させることができる。特に、イオン発生ユニット１００を室内の天井や壁に取り付けた場合であっても、複数の空気吹出口１１〜１４を設けてあるので、イオンを室内に効率的に拡散することができる。
【００４５】
また、マイナスイオンを含む空気の吹出口１１（又は１３）とプラスイオンを含む空気の吹出口１４（又は１２）とを独立させる（別個に離隔させる）ことにより、プラスイオンとマイナスイオンとが中和することを避けて、イオンの拡散性を高めることができる。
【００４６】
また、各空気吹出口１１〜１４の近傍にイオン発生電極部を備えている。例えば、マイナスイオンを含む空気を吹き出す空気吹出口１１、１３の近傍には、マイナスイオンを発生させるための電極部（例えば、電極針）を設けるとともに、プラスイオンを含む空気を吹き出す空気吹出口１２、１４の近傍には、プラスイオンを発生させるための電極部（例えば、電極針）を設ける。これにより、例えば、空気吹出口１１〜１４に至るまでの通気路Ｒ内でイオンが消滅することを防止し、発生させたプラスイオン及びマイナスイオンを空気吹出口１１〜１４から吹き出すことができ、イオンを一層効率的に拡散させることができる。
【００４７】
また、図１２に示すように、プラスイオンを含む空気を吹き出す空気吹出口とマイナスイオンを含む空気を吹き出す空気吹出口それぞれを交互に周状に配置してある。例えば、空気吹出口を長方形の各四隅の位置に配置した場合、プラスイオン用の空気吹出口とマイナスイオン用の空気吹出口とが順番に並ぶように配置する。この場合、対角線上の空気吹出口のイオンの極性は同じ極性となる。これにより、プラスイオンとマイナスイオンとを均等に拡散させることができるとともに、空間へのイオン分布が良くなりイオンの中和を避けることができる。
【００４８】
また、空気吹出口１１〜１４を空気吸込口１５と同一平面に設けてあるので、例えば、イオン発生ユニット１００を天井や壁に設置する場合に、空気吹出口１１〜１４及び空気吸込口１５を天井面や壁面と同一面にすることができ、イオン発生ユニットが天井面や壁面から飛び出した状態で設置しなければならないという制約を排除することができ、見た目も良くなる。
【００４９】
また、図１２に示すように、各空気吹出口１１〜１４から吹き出された空気の前記同一平面に沿った吹出方向をそれぞれ均等に異なる方向へ設定することができる。図１２の例では、一例として、空気吹出口１１〜１４を長方形の各四隅の位置に配置し、各空気吹出口１１〜１４から吹き出す空気の方向を隣接する空気吹出口からの吹出方向と略直角をなすようにする。これにより、イオン発生ユニット１００の空気吹出口１１〜１４の取り付け面から四方に均等にイオンを拡散することができる。
【００５０】
また、イオン発生ユニット１００は、空気吹出口１１〜１４及び空気吸込口１５の面と直交する軸回りに回転する羽根を有するファン３３を通気路に内設している。ファン３３を作動させることにより、空気吸込口１５から吸い込まれた空気は通気路Ｒを通って空気吹出口１１〜１４から吹き出される。そして、羽根の回転方向（図１２の矢印方向）と一致する向きに各空気吹出口１１〜１４からの吹出方向を設定してある。例えば、図１２に示すように、ファン３３の回転方向が反時計回りである場合、各空気吹出口１１〜１４からの吹出方向が反時計回りになるように吹出方向を設定する。これにより、ファン３３の回転により生じる渦状の空気の流れに逆らうことなく、イオンを含む空気を吹き出すことができ、イオンの拡散性を向上させることができる。
【００５１】
図１３は本発明に係るイオン発生ユニット１００のイオン濃度測定結果の一例を示す説明図であり、図１４は従来のイオン発生ユニットのイオン濃度測定結果の例を示す説明図である。従来のイオン発生ユニットは、例えば、装置中央部の１つの空気吹出口からイオンを含む空気を吹き出す構造のものである。図１３及び図１４いずれも、イオン発生ユニットを天井に設置し、イオン発生ユニットの略中央部の直下２００ｃｍの箇所をＴ０で示し、Ｔ０を含む水平面上の点を縦横７５ｃｍ間隔で設定した箇所をＴ１〜Ｔ１２とし、各箇所でのプラスイオン濃度（個／ｃｍ3 ）及びマイナスイオン濃度（個／ｃｍ3 ）を測定したものである。図１３及び図１４から、本発明に係るイオン発生ユニット１００の方が従来のものに比べて、イオンの拡散性が向上していることが分かる。
【００５２】
空気吹出口１１〜１４からの空気の吹出方向は、上述の例に限定されるものではなく、他の方向であってもよい。図１５は本発明に係るイオン発生ユニット１００の空気吹き出し方向の他の例を示す説明図である。図１５において、矢印は、空気吹出口１１〜１４からの空気の吹き出し方向を示す。図１５に示すように、空気吹出口１１〜１４からの空気の吹き出し方向は、ファン３３の中心から半径方向に沿って４方向となる。なお、この場合、例えば、空気吹出口１１〜１４の仕切板の平面視の向きを変更することにより、空気の吹き出し方向を図１５の例のように設定することができる。
【００５３】
図１６は本発明に係るイオン発生ユニット１００のイオン濃度測定結果の他の例を示す説明図である。図１６は図１５の例の場合での測定結果を示す。なお、測定方法は図１３の場合と同様である。図１６に示すように、従来のもの（図１４の例）に比べて、イオンの拡散性が向上していることが分かる。
【００５４】
図１７は本発明に係るイオン発生ユニット１００を備えた照明装置２００の外観斜視図であり、図１８は本発明に係るイオン発生ユニット１００を備えた照明装置３００の外観斜視図である。図１７に示すように、本発明に係る照明装置２００は、スクウェア型と称し、正方形状の筐体２０３の中央部にイオン発生ユニット１００を取り付けてある。そして、イオン発生ユニット１００を挟むようにして両側に発光面２０１、２０２を設けている。発光面２０１の内側には、複数の発光ダイオードが縦横に適長離隔してマトリクス状に配置され、所要の明るさを提供することができる。
【００５５】
また、図１８に示すように、本発明に係る照明装置３００は、ストレート型と称し、長方形状の筐体３０２の端部近傍にイオン発生ユニット１００を取り付けてある。そして、イオン発生ユニット１００の片側に発光面３０１を設けている。発光面３０１の内側には、複数の発光ダイオードが縦横に適長離隔してマトリクス状に配置され、所要の明るさを提供することができる。なお、イオン発生ユニット１００は、筐体３０２の端部近傍に限定されず、任意の位置に設けることができる。
【００５６】
上述のように、イオン発生ユニット１００を照明装置と一体化することにより、例えば、照明装置を天井又は壁などに取り付けた場合、床面などに別個のイオン発生装置を設置する必要がなく、室内の省スペース化を図ることができる。また、照明装置に調光機能などの複雑な機能が備えられ、これらの機能をマイクロコンピュータ等で制御するような場合、照明装置とイオン発生ユニット１００とでマイクロコンピュータを共用することができる。また、照明装置とイオン発生ユニット１００とで電源回路などを共用化することもできる。また、イオン発生ユニット１００に具備したファン３３によりケース４０が放熱フィンの役割を果たして照明装置内で発生する熱を放熱することもでき、発光ダイオード等の長寿命化を図ることも可能となる。さらに、一体化により施工性が向上する。
【００５７】
以上説明したように、本発明によれば、プラスイオンとマイナスイオンとが中和することを避けて、イオンの拡散性を高めることができる。
【００５８】
上述の実施の形態において、前面パネル１０の空気吹出口の平面視形状は一例であって、これに限定されるものではない。また、上述の実施の形態では、イオン発生ユニット１００の平面視が矩形状であったが、形状はこれに限定されるものではなく、五角形、六角形他の多角形でもよく、あるいは、円形状であってもよい。この場合、空気吸込口を中心に配置し、空気吹出口を周方向に沿って複数配置することができる。
【００５９】
上述の実施の形態において、イオン発生素子は、矩形状をなすものであったが、イオン発生素子の形状や電極部の構成は、これに限定されるものではなく、空気吹出口の位置、寸法等に応じて適宜変更することができる。
【００６０】
上述の実施の形態で、イオン発生ユニットと照明装置とを一体化する構成について説明したが、イオン発生ユニットは照明装置に取り付ける構成に限定されるものではない。単体で天井（天井埋め込みを含む）や壁などに取り付けことができ、あるいは卓上又は床置きでもよい。また、照明装置に限定されず、空気調和機、除湿器、加湿器等の電気機器に取り付けることもできる。
【図面の簡単な説明】
【００６１】
【図１】本発明に係るイオン発生ユニットの外観斜視図である。
【図２】本発明に係るイオン発生ユニットの前面視の分解斜視図である。
【図３】本体ベースの分解斜視図である。
【図４】本発明に係るイオン発生ユニットの後面視の分解斜視図である。
【図５】ケースの平面図である。
【図６】本体ベースの平面図である。
【図７】吸込グリルの平面図である。
【図８】空気の通気路の概略を示す模式図である。
【図９】空気の通気路の概略を示す模式図である。
【図１０】前面パネルの正面図である。
【図１１】空気吹出口の要部断面図である。
【図１２】本発明に係るイオン発生ユニットの空気吹き出し方向の一例を示す説明図である。
【図１３】本発明に係るイオン発生ユニットのイオン濃度測定結果の一例を示す説明図である。
【図１４】従来のイオン発生ユニットのイオン濃度測定結果の例を示す説明図である。
【図１５】本発明に係るイオン発生ユニットの空気吹き出し方向の他の例を示す説明図である。
【図１６】本発明に係るイオン発生ユニットのイオン濃度測定結果の他の例を示す説明図である。
【図１７】本発明に係るイオン発生ユニットを備えた照明装置の外観斜視図である。
【図１８】本発明に係るイオン発生ユニットを備えた照明装置の外観斜視図である。
【符号の説明】
【００６２】
１０  前面パネル
１１、１２、１３、１４  空気吹出口
１５  空気吸込口
１１１  仕切板
２０  吸込グリル
２１、２２、２３、２４  吹出孔
２５  吸込孔
２０１  通気壁
２０２  通気板
２０１ａ、２０２ａ、２０２ｂ  傾斜面
２０４  整流板
３０  本体ベース
３１、３２  イオン発生素子
３１ａ、３１ｂ、３１ｃ、３１ｄ  電極針
３３  ファン
３４  固定板
３５  制御部
３６  表示部
４０  ケース
【図１】
2010029552.tif 000003
【図２】
2010029552.tif 000004
【図３】
2010029552.tif 000005
【図４】
2010029552.tif 000006
【図５】
2010029552.tif 000007
【図６】
2010029552.tif 000008
【図７】
2010029552.tif 000009
【図８】
2010029552.tif 000010
【図９】
2010029552.tif 000011
【図１０】
2010029552.tif 000012
【図１１】
2010029552.tif 000013
【図１２】
2010029552.tif 000014
【図１３】
2010029552.tif 000015
【図１４】
2010029552.tif 000016
【図１５】
2010029552.tif 000017
【図１６】
2010029552.tif 000018
【図１７】
2010029552.tif 000019
【図１８】
2010029552.tif 000020